(57)【要約】  本開示は、電気コネクタインターフェースを含むインテリジェント照明制御システムを提供する。本照明制御システムは、モジュールハウジングと、モジュールハウジング内に配置され、調光回路を介して照明回路への電気エネルギーの流れを変調して複数の照明シーンを生成するように構成されたプロセッサを含む、スイッチ制御回路と、を含む。照明制御システムは、モジュールハウジングに結合され、スイッチ制御回路に通信可能に結合されたグラフィカルユーザインターフェースを含む。照明制御システムは、スイッチ制御回路に電気的に接続された第１の電気コネクタであって、モジュールハウジングの表面から延在するか、モジュールハウジングの表面に埋め込まれているかの少なくとも１つである、第１の電気コネクタを含む。電気コネクタは、複数の電気ピンを含む。第１の電気コネクタは、ベースモジュールの第２の電気コネクタと圧入係合するように構成されている。
2019526885.tif 000002
【特許請求の範囲】
【請求項１】
照明制御システムであって、
モジュールハウジングと、
前記モジュールハウジング内に配置され、プロセッサを含むスイッチ制御回路であって、前記プロセッサは、調光回路を介して照明回路への電気エネルギーの流れを変調して複数の照明シーンを生成するように構成されている、スイッチ制御回路と、
前記モジュールハウジングに結合され、前記スイッチ制御回路に通信可能に結合されたグラフィカルユーザインターフェースと、
前記スイッチ制御回路に電気的に接続された第１の電気コネクタであって、前記第１の電気コネクタが、前記モジュールハウジングの表面から延在するか、前記モジュールハウジングの表面に埋め込まれているかの少なくとも１つである、複数の電気ピンを含み、前記第１の電気コネクタが、ベースモジュールの第２の電気コネクタと圧入係合するように構成されている、第１の電気コネクタと、
を備える照明制御システム。
【請求項２】
前記第１の電気コネクタが少なくとも１対のコネクタを含む、請求項１に記載の照明制御システム。
【請求項３】
前記少なくとも１対のコネクタが、ブレードコネクタおよびヘッダのうちの少なくとも１つを含む、請求項２に記載の照明制御システム。
【請求項４】
前記少なくとも１対のコネクタの第１のコネクタが、前記モジュールハウジングの第１の端部に配置され、前記少なくとも１対のコネクタの第２のコネクタが、前記第１の端部の反対側の前記モジュールハウジングの第２の端部に配置されている、請求項２に記載の照明制御システム。
【請求項５】
前記少なくとも１対のコネクタの前記第１のコネクタおよび前記少なくとも１対のコネクタの前記第２のコネクタが、ブレードコネクタを含む、請求項４に記載の照明制御システム。
【請求項６】
前記第１の電気コネクタが電力およびデータを伝送するように構成されている、請求項１に記載の照明制御システム。
【請求項７】
前記第１の電気コネクタが、前記第２の電気コネクタとの接触および電気的通信を前記それぞれのコネクタの接点間で２ｍｍの範囲内で維持するように構成されている、請求項１に記載の照明制御システム。
【請求項８】
前記スイッチ制御回路に電気的に接続された充電式電池をさらに備える、請求項１に記載の照明制御システム。
【請求項９】
前記電気コネクタが前記ハウジングから突き出る、請求項１に記載の照明制御システム。
【請求項１０】
前記モジュールハウジングから延在するばね付勢されたラッチをさらに備える、請求項１に記載の照明制御システム。
【請求項１１】
前記グラフィカルユーザインターフェースが触覚ディスプレイを含む、請求項１に記載の照明制御システム。
【請求項１２】
前記グラフィカルユーザインターフェースが、前記モジュールハウジングに対して移動するように構成された照明スイッチアクチュエータに収容されている、請求項１に記載の照明制御システム。
【請求項１３】
前記照明スイッチアクチュエータが、枢動するように構成されている、請求項１２に記載の照明制御システム。
【請求項１４】
前記照明スイッチアクチュエータが、平行移動するように構成されている、請求項１２に記載の照明制御システム。
【請求項１５】
前記照明スイッチアクチュエータが、少なくとも部分的にガラスから構成されている、請求項１２に記載の照明制御システム。
【請求項１６】
前記スイッチ制御回路に電気的に結合された無線通信モジュールをさらに備える、請求項１２に記載の照明制御システム。
【請求項１７】
アンテナをさらに備える、請求項１に記載の照明制御システム。
【請求項１８】
カメラをさらに備える、請求項１に記載の照明制御システム。
【請求項１９】
光センサをさらに備える、請求項１に記載の照明制御システム。
【請求項２０】
温度計をさらに備える、請求項１に記載の照明制御システム。
【請求項２１】
湿度センサをさらに備える、請求項１に記載の照明制御システム。
【請求項２２】
大気の品質センサをさらに備える、請求項１に記載の照明制御システム。
【請求項２３】
マイクロホンをさらに備える、請求項１に記載の照明制御システム。
【請求項２４】
前記ベースモジュールが電力回路を備え、前記電力回路が、変圧器、電力アイソレータ、およびＡＣ／ＤＣコンバータのうちの１つまたは複数を備える、請求項１に記載の照明制御システム。
【請求項２５】
前記ベースモジュールが、フライバックコンバータを備える電力回路を備える、請求項１に記載の照明制御システム。
【請求項２６】
前記調光回路が、ＴＲＩＡＣ調光器およびＭＯＳＦＥＴ調光器のうちの少なくとも１つを含む、請求項１に記載の照明制御システム。
【請求項２７】
電圧センサおよび電流センサのうちの少なくとも１つを含む検出回路をさらに備える、請求項１に記載の照明制御システム。
【発明の詳細な説明】
【技術分野】
【０００１】
［関連出願］
本出願は、２０１６年７月７日に出願された「ＩＮＴＥＬＬＩＧＥＮＴ  ＬＩＧＨＴＩＮＧ  ＣＯＮＴＲＯＬ  ＳＹＳＴＥＭ  ＥＬＥＣＴＲＩＣＡＬ  ＣＯＮＮＥＣＴＯＲ  ＡＰＰＡＲＡＴＵＳＥＳ，ＳＹＳＴＥＭＳ，ＡＮＤ  ＭＥＴＨＯＤＳ」という名称の米国仮特許出願第６２／３５９，６７７号に対する優先権を主張し、この出願は、その全体が参照により本明細書に組み込まれる。
【０００２】
本出願は、一般に、照明制御システムの分野に関する。
【背景技術】
【０００３】
家庭用照明制御装置のカスタマイズおよび自動化は、しばしば、それぞれの器具に紛らわしく割り当てられた照明スイッチで溢れかえった見苦しい照明スイッチを設置することによって具現化されている。また、自動化された家庭用照明制御システムは、設置および／または操作のために、専門家または熟練技能者を必要とする大型で、複雑な、高価な中心ハブを含むことがある。これらの状況のいずれかに導入されたスマート電球および／またはＷｉ−Ｆｉ対応電球、あるいはより単純な電球でさえ、関連付けられた照明スイッチおよび／または照明器具そのものによって不都合に制約を受けることがある。例えば、スマート電球に関連付けられた照明スイッチがオフになると、スマート電球は、動作不能になる。
【発明の概要】
【課題を解決するための手段】
【０００４】
本発明者らは、本明細書に開示された様々な実施形態がインテリジェント照明システムの構成要素を電気的に接続するための装置、システム、および方法を提供することを認識した。
【０００５】
様々な実施形態は、モジュールハウジングと、モジュールハウジング内に配置され、調光回路を介して照明回路への電気エネルギーの流れを変調して複数の照明シーンを生成するように構成されたプロセッサを含む、スイッチ制御回路と、を含む照明制御システムを提供する。照明制御システムは、モジュールハウジングに結合され、スイッチ制御回路に通信可能に結合されたグラフィカルユーザインターフェースを含む。照明制御システムは、スイッチ制御回路に電気的に接続された第１の電気コネクタであって、モジュールハウジングの表面から延在するか、モジュールハウジングの表面に埋め込まれているかの少なくとも１つである、第１の電気コネクタを含む。電気コネクタは、複数の電気ピンを含む。第１の電気コネクタは、ベースモジュールの第２の電気コネクタと圧入係合するように構成されている。
【０００６】
一部の実施態様では、第１の電気コネクタは、少なくとも１対のコネクタを含む。
【０００７】
一部の実施態様では、少なくとも１対のコネクタは、ブレードコネクタおよびヘッダのうちの少なくとも１つを含む。
【０００８】
一部の実施態様では、少なくとも１対のコネクタの第１のコネクタは、モジュールハウジングの第１の端部に配置され、少なくとも１対のコネクタの第２のコネクタは、第１の端部の反対側のモジュールハウジングの第２の端部に配置されている。
【０００９】
一部の実施態様では、少なくとも１対のコネクタの第１のコネクタおよび少なくとも１対のコネクタの第２のコネクタは、ブレードコネクタを含む。
【００１０】
一部の実施態様では、第１の電気コネクタは、電力およびデータを伝送するように構成されている。
【００１１】
一部の実施態様では、第１の電気コネクタは、第２の電気コネクタとの接触および電気的通信をそれぞれのコネクタの接点間で０〜２ｍｍの範囲内で維持するように構成されている。
【００１２】
一部の実施態様では、照明制御システムは、スイッチ制御回路に電気的に接続された充電式電池を含む。
【００１３】
一部の実施態様では、電気コネクタは、ハウジングから突き出る。
【００１４】
一部の実施態様では、照明制御システムは、モジュールハウジングから延在するばね付勢されたラッチを含む。
【００１５】
一部の実施態様では、グラフィカルユーザインターフェースは、触覚ディスプレイを含む。
【００１６】
一部の実施態様では、グラフィカルユーザインターフェースは、モジュールハウジングに対して移動するように構成された照明スイッチアクチュエータに収容されている。
【００１７】
一部の実施態様では、照明スイッチアクチュエータは、枢動するように構成されている。
【００１８】
一部の実施態様では、照明スイッチアクチュエータは、平行移動するように構成されている。
【００１９】
一部の実施態様では、照明スイッチアクチュエータは、少なくとも部分的にガラスから構成されている。
【００２０】
一部の実施態様では、照明制御システムは、スイッチ制御回路に電気的に結合された無線通信モジュールを含む。
【００２１】
一部の実施態様では、照明制御システムは、アンテナを含む。
【００２２】
一部の実施態様では、照明制御システムは、カメラを含む。
【００２３】
一部の実施態様では、照明制御システムは、光センサを含む。
【００２４】
一部の実施態様では、照明制御システムは、温度計を含む。
【００２５】
一部の実施態様では、照明制御システムは、湿度センサを含む。
【００２６】
一部の実施態様では、照明制御システムは、大気の品質センサを含む。
【００２７】
一部の実施態様では、照明制御システムは、マイクロホンを含む。
【００２８】
一部の実施態様では、ベースモジュールは、変圧器、電力アイソレータ、およびＡＣ／ＤＣコンバータのうちの１つまたは複数を含む電力回路を備える。
【００２９】
一部の実施態様では、ベースモジュールは、フライバックコンバータを含む電力回路を備える。
【００３０】
一部の実施態様では、調光回路は、ＴＲＩＡＣ調光器およびＭＯＳＦＥＴ調光器のうちの少なくとも１つを含む。
【００３１】
一部の実施態様では、照明制御システムは、電圧センサおよび電流センサのうちの少なくとも１つを含む検出回路を含む。
【００３２】
様々な実施態様は、照明制御システムを動作させるためのコンピュータプログラム製品を提供する。コンピュータプログラム製品は、１つまたは複数のプロセッサに結合され、命令が記憶された非一時的なコンピュータ可読記憶媒体を含むことができ、この命令は、１つまたは複数のプロセッサによって実行されると、１つまたは複数のプロセッサに、前述の実施態様のいずれか１つに従っておよび／または本明細書に開示された装置のいずれか１つに従って照明制御システム装置を動作させるための動作を実行させる。
【００３３】
前述の概念と以下でより詳細に論じるさらなる概念のすべての組合せは（そのような概念が互いに矛盾していない限り）、本明細書に開示された発明の主題の一部であると考えられることを認識されたい。具体的には、本開示の最後に現われる特許請求される主題のすべての組合せは、本明細書に開示された発明の主題の一部であると考えられる。また、参照により組み込まれる任意の開示にも現われることがある、本明細書で明示的に用いられる術語は、本明細書に開示された特定の概念と最も一致する意味を付与されるべきであることを認識されたい。
【００３４】
図面は、主として例示目的のためであり、本明細書に記載された発明の主題の範囲を限定することは意図されていない。図面は、必ずしも縮尺通りではなく、場合によっては、本明細書に開示された発明の主題の様々な態様は、異なる特徴についての理解を容易にするために図面において誇張または拡大されて示されることがある。図面において、同様の参照記号は、全体的に同様の特徴（例えば、機能的に同様のおよび／または構造的に同様の要素）を指す。
【図面の簡単な説明】
【００３５】
【図１Ａ】照明制御装置の斜視部分分解図である。
【図１Ｂ】図１Ａの照明制御装置の完全分解図である。
【図２Ａ】壁に取り付けられた図１Ａの照明制御装置である。
【図２Ｂ】マルチスイッチ照明制御装置である。
【図２Ｃ】マルチスイッチ照明制御装置である。
【図３Ａ】照明設定を通して移行する照明制御装置、および照明制御装置によって制御された照明器具を備える部屋である。
【図３Ｂ】照明設定を通して移行する照明制御装置、および照明制御装置によって制御された照明器具を備える部屋である。
【図３Ｃ】照明設定を通して移行する照明制御装置、および照明制御装置によって制御された照明器具を備える部屋である。
【図３Ｄ】照明設定を通して移行する照明制御装置、および照明制御装置によって制御された照明器具を備える部屋である。
【図３Ｅ】照明設定を通して移行する照明制御装置、および照明制御装置によって制御された照明器具を備える部屋である。
【図３Ｆ】照明設定を通して移行する照明制御装置、および照明制御装置によって制御された照明器具を備える部屋である。
【図４】照明制御装置を制御するためのシステムの動作の流れ図である。
【図５】照明制御装置を遠隔操作するためのシステムの流れ図である。
【図６】照明制御装置の動作を遠隔で構成するためのシステムの流れ図である。
【図７】照明制御システムのコネクタ構成要素である。
【図８】照明制御システムの概略図である。
【発明を実施するための形態】
【００３６】
本明細書に開示された発明の主題の特徴および利点は、図面と併せて読むと、以下に述べる詳細な説明からより明白になるであろう。
【００３７】
以下は、照明制御装置の本発明のシステム、方法、および構成要素に関連する様々な概念、およびそれらの例示的な実施形態のより詳細な記載である。
【００３８】
図１Ａは、照明制御装置１００の斜視部分分解図である。照明制御装置１００は、照明スイッチアクチュエータ１０６と、照明スイッチアクチュエータ１０６に収容された触覚ディスプレイ１０４と、を含むスイッチモジュール１０２を含む。また、照明制御装置１００は、スイッチ板カバー１０８を貫いて延在するスイッチモジュール開口部１１０を含むスイッチ板カバー１０８を含む。また、照明制御装置１００は、多ピンソケット１１４を介してスイッチモジュール１０２に結合するように構成されたベースモジュール１１２を含む。ベースモジュール１１２は、ワンギャング壁電気ボックス内に受け入れられるようにサイズが調整され、構成され、実質的にそのような電気ボックスに対応する容積を有する。ベースモジュール１１２は、接続タブ１１６および接続タブ１１６の締め具開孔１１８を介して壁電気ボックスに結合されるように構成されている。
【００３９】
照明スイッチアクチュエータ１０６は、本明細書でさらに論じるように、ガラスから構成することができる外側作動面１２２を含む。作動面１２２は、例えば、湾曲した足部１２０を押して、例えば、照明スイッチアクチュエータ１０６を枢動させることによって移動可能である。照明スイッチアクチュエータ１０６および作動面１２２の枢動は、スイッチアクチュエータ１０６の接点部品（図２に示す）を第１の位置から第２の位置に移動させる。接点部品の移動は、例えば、２つの電気接点を接続させることによって、または接点部品を電気接点と接続することによって、電気的流路の接続を引き起こす。電気的流路の接続によって、本明細書でさらに詳細に論じるように、ベースモジュール１１２に接続された電源によって供給される電気エネルギーが触覚ディスプレイ１０４を通電するまたは作動させることが可能になる。触覚ディスプレイ１０４は、作動面１２２の少なくとも一部分およびアクチュエータ１０６と同時に移動するようにスイッチモジュール内で構造化されている。触覚ディスプレイ１０４は、作動または通電されると、ユーザが所定の照明設定を規定または選択することを可能にし、ここで照明設定は、１つまたは複数の照明器具に供給される電圧または電力を変更する。照明器具に供給される電力の変更は、各器具に供給される複数の異なる電圧を含むことができ、限定されることなく、位置、光強度、光色、電球のタイプ、光源のタイプ、周囲の照明レベル、時刻、活動の種類、室温、ノイズレベル、エネルギーコスト、ユーザの近接度、ユーザの身元を含む様々なパラメータ、または指定もしくは検出することができる様々な他のパラメータに基づくことができる。さらに、照明制御装置１００は、室内またはさらには家屋内のすべての光源に接続されてもよく、ユニットまたは室内に置かれ、同じまたは別個の照明器具に接続された１つもしくは複数の他の照明制御装置１００と協働して動作するように構成されてもよい。
【００４０】
図１Ｂは、図１Ａの照明制御装置１００の完全分解図である。図１Ｂに示すように、触覚ディスプレイ１０４は、外側作動面１２２と照明スイッチアクチュエータ１０６との間に配置されている。作動面１２２は、触覚ディスプレイ１０４および／またはセンサ１２７のための明瞭な見通し経路からの光、あるいは作動していることを示す光ファイバー１２６からの光などの他の光が、作動面１２２を通過することを可能にする耐衝撃性ガラス材料から構成されてもよい。触覚ディスプレイ１０４は、プリント回路板１２９上に配置された１つもしくは複数のモジュールまたはプロセッサを介して制御されるポリマーベースの容量性タッチ層１２４および発光ダイオードパネル１２５から構成されている。触覚ディスプレイ１０４は、作動面１２２の下にある照明スイッチアクチュエータ１０６の凹部１３１内に収容されている。照明スイッチアクチュエータ１０６は、ハウジングカバー１３３およびハウジングベース１３５を含む熱可塑性ハウジングとして形成されてもよい。照明スイッチアクチュエータのハウジングカバー１３３は、ピン１３６を介してハウジングベース１３５に枢動可能に接続され、ハウジングカバー１３３は、トーションばね１３７を介してハウジングベース１３５に対して付勢されている。特定の実施形態では、照明スイッチアクチュエータのハウジングカバー１３３は、摺動するように、さもなければ平行移動または回転するように構成されてもよい。外側作動面１２２は、スイッチアクチュエータのハウジングカバー１３３によって付勢されており、照明スイッチアクチュエータ１０６のカバー構成要素１３３に収容されている触覚ディスプレイ１０４と協調してハウジングカバー１３３とともに同時に移動する。照明スイッチアクチュエータ１０６は、一次プリント回路板基板１５０上の開回路を閉じるために、位置間を移動可能なスイッチピン１２８を含み、この基板は、スイッチコントローラまたはプロセッサも収容する。ある特定の実施形態では、照明スイッチアクチュエータ１０６は、一次プリント回路板基板１５０と、二次プリント回路板１３８と、を含む回路板スタックを含んでもよい。照明スイッチアクチュエータ１０６は、（例えば、照明スイッチアクチュエータ１０６を、スイッチ板カバー１０８の開口部１１０を通過させるときに）ベースモジュール１１２に結合するためのラッチ１３６を含むことができ、このラッチは、照明スイッチアクチュエータ１０６を適所に収める。ハウジングベース１３５は、ベースモジュール１１２の多ピンソケット１１４と係合するように構成された多ピンコネクタまたはプラグ１３４を含む。
【００４１】
照明制御装置１００は、電気壁ボックスに設置されるように構成された取り付けシャーシ１４２を含む。取り付けシャーシ１４２は、他のモジュール（例えば、ベースモジュール１１２およびスイッチモジュール１０２）を設置するための平らな面を生成する。一旦ベースモジュールが取り付けシャーシ１４２を介して電気壁ボックスに接続されると、スイッチ板カバー１０８を取り付けシャーシ１４２に結合することができ、照明スイッチアクチュエータ１０６を、スイッチモジュール開口部１１０を通して挿入することができる。特定の実施形態では、スイッチ板カバーは、磁石を介して取り付けシャーシ１４２および／またはベースモジュールのタブ１１６に結合されてもよい。磁石は、スイッチ板カバー１０８の一部分の開口部内に埋め込まれてもよい。上述したように、ベースモジュール１１２は、接続タブ１１６を介して取り付けシャーシ１４２に結合されるように構成されている。ベースモジュール１１２は、電源（例えば、電気遮断器ボックスから電気壁ボックスに到る電線）に、および電気ボックスに配線された１つまたは複数の照明器具に電気的に結合されるようにさらに構成されている。したがって、ベースモジュール１１２は、電源と、照明スイッチアクチュエータ１０６と、１つまたは複数の照明器具との間のインターフェースを提供する。ベースモジュールは、電源によって供給され、照明スイッチアクチュエータ１０６または触覚ディスプレイ１０４を介して識別される照明設定選択に従って１つまたは複数の照明器具に送られる電力を管理するためのプロセッサ１４０および回路板１４１を含む。
【００４２】
プリント回路板１３８ａまたはプリント回路板１３８ｂ上のプロセッサ１３０およびベースモジュールプロセッサ１４０のうちの１つまたは複数は、携帯電話、タブレット、ラップトップ、別の携帯コンピューティング装置、１つまたは複数の他の照明制御装置１００、あるいはある位置で動作する他の電子機器などの、１つまたは複数の遠隔電子機器と通信するための無線リンクを含むことができる。ある特定の実施態様では、無線リンクは、限定されることなく、スマート電球、サーモスタット、ガレージドア開閉機、ドアロック、リモコン、テレビ、防犯システム、防犯カメラ、煙探知器、ビデオゲーム機、ロボットシステム、もしくは他の通信可能な検知装置および／または作動装置あるいは器具を含む、１つまたは複数の機器との通信を可能にする。無線リンクは、ＢＬＵＥＴＯＯＴＨクラス、Ｗｉ−Ｆｉ、ＢＬＥとしても知られているＢｌｕｅｔｏｏｔｈ低エネルギー（ＢＬＥおよびＢＴ  ｃｌａｓｓｉｃは単にブランドを共有する全く異なるプロトコルである）、８０２．１５．４、マイクロ波アクセスのための世界的な相互運用性（ＷｉＭＡＸ）、赤外線チャネル、または衛星帯を含むことができる。また、無線リンクは、限定されることなく、１Ｇ、２Ｇ、３Ｇまたは４Ｇとして認定された規格を含む、携帯機器間で通信するために使用される任意のセルラーネットワーク規格を含むことができる。ネットワーク規格は、国際電気通信連合によって維持されている仕様などの仕様または規格を満たすことによって１つまたは複数の世代の移動体通信規格として認定され得る。例えば、３Ｇ規格は、国際移動体通信２０００（ＩＭＴ−２０００）仕様に対応することができ、４Ｇ規格は、国際移動体通信アドバンスト（ＩＭＴ−Ａｄｖａｎｃｅｄ）仕様に対応することができる。セルラーネットワーク規格の例には、ＡＭＰＳ、ＧＳＭ、ＧＰＲＳ、ＵＭＴＳ、ＬＴＥ、ＬＴＥアドバンスト、モバイルＷｉＭＡＸ、およびＷｉＭＡＸアドバンストが含まれる。セルラーネットワーク規格は、様々なチャネルアクセス方法、例えば、ＦＤＭＡ、ＴＤＭＡ、ＣＤＭＡ、ＳＤＭＡを使用することがきる。一部の実施形態では、異なるタイプのデータは、異なるリンクおよび規格を介して送信されてもよい。他の実施形態では、同一タイプのデータが異なるリンクおよび規格を介して送信されてもよい。
【００４３】
図２Ａは、壁２００に取り付けられた図１Ａの照明制御装置１００を示す。図２Ａに示すように、ベースモジュール１１２は、スイッチ板カバー１０８を考慮すると照明制御装置１００の設置時には見えない。スイッチ板カバー１０８は、ベースモジュール１１２に取り付けられているため、スイッチ板カバー１０８は、壁２００上に浮かんでいるように見える。照明制御装置１００は、外側作動面１２２および触覚ディスプレイ１０４と対話するユーザ１０３によって作動させられてもよい。
【００４４】
図２Ｂおよび図２Ｃは、複数の照明制御装置のマルチスイッチ構成を示す。図２Ｂおよび図２Ｃは、２つのスイッチおよび３つのスイッチの実施形態をそれぞれ示し、照明制御装置２０２および照明制御装置２０３のそれぞれが、照明スイッチアクチュエータ１０６、ならびに補助スイッチ２０４および補助スイッチ２０８、ならびに２つおよび３つのベースモジュール１１２をそれぞれ含む。
【００４５】
図３Ａ〜図３Ｆは、様々な照明設定を通して移行する照明制御装置、および照明器具が照明制御装置によって制御された部屋を示す。
【００４６】
図３Ａでは、照明制御装置３００は、スイッチ板３０８の背後に配置されたベースモジュールに接続されている。照明制御装置３００は、図１Ａ〜図２Ｃに関連して論じた照明スイッチアクチュエータと同様のやり方で動作可能な動的照明スイッチアクチュエータ３０６と、補助照明スイッチアクチュエータと、を含む。照らされていない外側作動面３２２によって図３Ａに示すように、照明スイッチアクチュエータ３０６は、非作動であり、通電されていない。図３Ｂに示すように、ユーザ１０３が照明スイッチアクチュエータ３０６の作動面３２２を動かすことに応答して、照明スイッチアクチュエータ３０６は、通電され始める。照明スイッチアクチュエータ３０６の通電または作動は、電源ライトインジケータ３０５によって、および全照明設定アイコン３５１によって表示される。アイコン３５１が（図３Ｂのように部分的に点灯するのではなく）完全に点灯する図３Ｃに示すように、照明スイッチアクチュエータ３０６は、完全に通電されている。この特定の構成では、主光源３０９および主光源３１０は、全出力で照明されている。図３Ｄは、照明設定間の移行を示す。図３Ｄに示すように、この移行は、触覚ディスプレイ３０４を横切っておよび作動面３２２に沿ってスワイプジェスチャー３１２を完了するユーザ１０３によって促進される。ユーザがジェスチャー３１２を完了すると、触覚ディスプレイが図３Ｅに示す新しい照明設定に切り替わるとともに、アイコン３５１が触覚ディスプレイ３０４からスワイプされる。図３Ｅに示す新しい照明設定は、ディナーアイコン３５２によって表され、または識別される。図３に示す新しい照明設定は、照明器具３０９の電源を切って、ランプ３１６および燭台３１８が明るくなるようにして、部屋の照明シーンを変化させる。照明設定の変更は、選択された照明設定に基づいてある特定の照明器具への電力の分配に変化を引き起こす。照明スイッチアクチュエータ３０６は、複数の照明設定で予めプログラムされていてもよく、またはユーザ１０３によって指定されるような特定の照明設定で構成されていてもよい。アイコン３５２によって表される図３Ｆの照明設定からさらなる照明設定に移行するために、図３Ｆに示すさらなるスワイプジェスチャー３１５または異なるジェスチャーが用いられる。
【００４７】
図４は、照明制御装置を制御するためのシステムの動作の流れ図を提供する。図４は、本発明の様々な実施形態による、照明制御装置１００または照明制御装置３００を制御するように構成されたプロセッサ１３０などの制御システムの制御動作を示す。４０１において、照明スイッチアクチュエータに収容された触覚ディスプレイは、照明スイッチアクチュエータを動かすことによって、例えば、照明スイッチアクチュエータの作動面を動かすことによって作動する。４０２において、ベースモジュールを介して照明スイッチアクチュエータに電気的に結合された照明器具は、照明スイッチアクチュエータの移動が接点部品を新しい位置に移動させ、それによって電源と照明器具との間の電気的流路を閉じさせることが可能になるか、または引き起こされるため、給電される。照明スイッチアクチュエータに収容された触覚ディスプレイは、作動面と同時に移動する。４０３において、触覚ディスプレイを介して、例えば、触覚ディスプレイ上の特定の動きによって照明設定選択要求を受け取る。照明設定選択要求は、複数の照明設定の中から照明設定を識別する。ユーザは、複数の照明設定を切り替えるために複数回スワイプすることができ、または限定されないが、ハーフスワイプおよびタップを含む、特定の照明設定に対応する特定の動作を行って、すべての接続された照明器具の光強度をそれらのピーク出力の半分で達成することができる。照明設定は、照明スイッチモジュールに接続された１つまたは複数の照明器具に対して別個の配電スキームを識別する。４０４において、配電スキームが識別される。４０５において、識別された配電スキームは、例えば、照明スイッチアクチュエータからの制御信号に応答するベースモジュールによって送信されて、選択された照明設定に対応する配電スキームに基づいて、１つの、いくつかの、またはすべての照明を調整する。配電スキームまたは配電プロファイルは、照明制御装置の記憶装置に記憶されてもよい。ある特定の実施形態では、配電スキームは、自然光または非接続光源からの周囲照明などの他のパラメータを考慮するように調整されてもよい。ある特定の実施形態では、配電スキームは、１つまたは複数の他のセンサパラメータに基づいて調整されてもよい。特定の実施形態では、照明設定は、時刻、光、温度、ノイズなどの検知されたパラメータ、または限定されないが、本明細書に記載された任意の電子機器を含む他の機器の作動に基づいて、自動化によって調整されてもよい。
【００４８】
図５は、照明制御装置を遠隔操作するためのシステムの流れ図を示す。特定の実施形態では、アクチュエータスイッチが作動または通電している場合は、照明制御装置１００または照明制御装置３００は、遠隔装置から操作可能な場合がある。そのような場合、遠隔装置は、照明制御装置と通信して、照明制御装置を制御するために、装置上で動作するシステム５００などの１つまたは複数のコンピュータプログラムアプリケーションを含むことができる。したがって、５０１において、制御システム５００は、接続モジュールを起動して、携帯電子機器と照明スイッチモジュールとの間に通信インターフェースを生成する。接続モジュールは、遠隔装置に、通信プロトコルを介して照明制御装置に１つまたは複数の無線送信を送信させることができる。５０２において、制御システム５００は、遠隔装置に携帯電子機器の表示装置上にアイコンの表示を生成させて、照明設定の選択を容易にする。５０３において、制御システム５００は、ユーザが特定のアイコンを選択したことに基づいて照明設定選択を受け取る。５０４において、送信モジュールは、選択された照明設定を照明制御装置に送信させ、その結果、照明スイッチモジュールおよび／またはベースモジュールは、照明設定に対応する配電スキームを照明器具に送信させることができる。照明制御装置の触覚ディスプレイは、携帯電子機器上で選択され、触覚装置上で選択された照明設定に対応するアイコンを表示するために、照明設定の受信に合わせて更新されてもよい。
【００４９】
図６は、照明制御装置の動作を遠隔で構成するためのシステムの流れ図を示す。遠隔装置は、照明制御装置から遠隔にある携帯電話、携帯コンピューティング装置、またはコンピューティング装置を含むが、これらに限定されない装置を含むことができる。６０１において、携帯電子機器は、照明スイッチモジュールとの通信インターフェースを生成する。６０２において、照明器具識別モジュールは、センサベースのプロトコルを開始して、照明スイッチ制御モジュールに接続された１つまたは複数の照明器具に関連付けられたパラメータを識別する。６０３において、表示選択モジュールは、携帯電子機器の表示装置上にアイコンの表示を表示させる。６０４において、照明設定構成モジュールにより、ユーザは、識別されたパラメータと光強度に関連するユーザ指定入力とに基づいて識別された照明器具に対する配電スキームまたは配電プロファイルを生成することができる。６０４において、記憶モジュールを用いて、配電スキームを記憶し、特定の照明設定アイコンを配電スキームと関連付ける。６０５において、送信モジュールは、配電スキームおよび関連付けられたアイコンを照明スイッチ制御モジュールに送信する。
【００５０】
図７Ａ〜図７Ｃは、照明制御システムのコネクタ構成要素を示す。図７Ａは、スイッチコントローラ７０２の背面斜視図を示す。図７Ｂは、ベースモジュール７１２の正面図を示し、図７Ｃは、ベースモジュール７１２の斜視図を示す。スイッチコントローラは、スイッチ電気コネクタ７３１に電気的に結合されたスイッチ制御回路を含む。スイッチ電気コネクタ７３１は、データおよび電力を入出力するように構成された電気接点を含む。スイッチ電気コネクタ７３１は、スイッチコントローラ７０２のモジュールハウジングの頂面および底面に配置された電気接点を含む。電気接点は、ブレードコネクタまたはヘッダを含むことができる。スイッチ電気コネクタ７３１は、ベース電気コネクタ７１４と嵌合して係合するように構成されている。ある特定の実施形態では、スイッチ電気コネクタ７３１は、雄型コネクタを含むことができ、一方、ベース電気コネクタ７１４は、雌型コネクタを含むことができる。ある特定の実施形態では、スイッチコントローラ７０２は、スイッチ電気コネクタ７３１とベース電気コネクタ７１４との接続に応答してユーザ識別を要求することができる。ベースモジュールは、ベースモジュール７１２のウェル７１６内に配置されたばね仕掛けの機械式ロック７５１と係合するように構成されたタブ７３６を含む。タブ７３６とばね仕掛けの機械式ロック７５１との係合は、スイッチコントローラ７０２を確実にベースモジュール７１２のウェル７１６に埋め込まれたままにするのに役立つ。ある特定の実施形態では、タブ７３６は、ばね仕掛けであってもよい。ベース電気コネクタ７１４およびスイッチ電気コネクタ７３１は、それらの間の小さな公差のスペースで、例えば、それらの間の２ｍｍのスペースで電気的通信を維持するように構成することができる。スイッチコントローラ７０２は、内部に収容された充電式電池を含むことができる。充電式電池は、ベース電気コネクタ７１４とスイッチ電気コネクタ７３１とが係合したときに、充電され得る。ベースモジュール７１２およびスイッチコントローラ７０２は、図８の照明制御システム８００に関連してさらに詳細に論じるような電気部品で構成することができる。スイッチコントローラ７０２間の電気的接続は、ベースモジュール７１２およびスイッチコントローラ７０２のそれぞれのプロセッサまたはコントローラ間の通信を容易にし、スイッチコントローラ内の構成要素に給電するためにベースモジュール７１２からスイッチコントローラ７０２に電力も転送する。具体的には、ベース電気コネクタ７１４とスイッチ電気コネクタ７３１との間の電気的接続は、調光回路の構成要素を調整して選択された照明シーンを達成するために、スイッチコントローラで受信された照明シーン選択に関連するコマンドをベースモジュール７１２に送信することを可能にする。
【００５１】
図８は、本明細書に記載された照明制御動作を実行するように構成された照明制御システム８００の概略図である。照明制御システム８００は、（ベースモジュール１１２と同様のやり方で構成することができる）ベース照明制御モジュール８１２と、（スイッチモジュール１０２と同様のやり方で構成することができる）スイッチモジュールまたはスイッチコントローラ８０２とに分けられて表されている。本明細書に記載されるように、スイッチモジュール８０２は、本明細書に記載された触覚ディスプレイ１０４および照明スイッチアクチュエータ１０６などの、グラフィカルユーザインターフェースモジュール８５２およびスイッチアクチュエータを介して操作可能な触覚インターフェースを含むことができる。スイッチモジュール８０２は、マイクロコントローラ８４０にコマンドを送信し、マイクロコントローラ８４０から入力を受信して、変圧器８１８と、（フライバックコンバータを含むことができる）電力アイソレータおよびＡＣ／ＤＣコンバータ８１４と、ＴＲＩＡＣ調光器８１３などの調光器と、電圧および電流センサ８１６と、の動作を制御するように構成することができるプロセッサ８５０を収容する。一部の実施形態では、ベース照明制御モジュール８１２は、ＭＯＳＦＥＴ調光器を含んでもよい。電力アイソレータ８１４は、ベース照明制御モジュール８１２およびスイッチモジュール８０２内の低電力成分またはＤＣデジタル成分からアナログＡＣ電流を分離する。電力アイソレータ８１４は、電力モジュール８５３を介してスイッチ制御モジュール８０２に電力入力を提供することができる。電力モジュール８５３は、スイッチコントローラモジュール８０２内のモジュールの１つまたは複数に電力を向けること含む、ベースモジュール８１２からスイッチコントローラモジュール８０２への電力の流れを調整するように構成された電力回路を含む。また、スイッチモジュール８０２は、１つまたは複数のアンテナを含むことができる通信モジュール、あるいは他の無線通信モジュールを収容する。スイッチモジュール８０２は、光センサ、カメラ、マイクロホン、温度計、湿度センサ、および大気の品質センサなどの１つまたは複数のセンサを含むことができるセンサモジュールも収容する。プロセッサ８５０は、スイッチモジュール８０２内の１つまたは複数のモジュールと通信可能に結合されて、それらのモジュールの動作を制御し、それらのモジュールから入力を受け取り、例えば、ベース照明制御モジュール８１２に接続された照明器具８２４の照明回路への電気エネルギーの流れの変調を制御する。
【００５２】
ベース照明制御モジュール８１２は、モジュール８１２内に含まれる様々な電気部品を接地するための接地端子８３０を含む。ベース照明制御モジュール８１２は、中性線に接続するための中性端子８２８、ライン端子８２６、および負荷端子８２２を含む。図８に示すように、電圧および電流センサは、負荷線に結合されて、照明回路（７５０）に接続された１つまたは複数の照明器具８２４に電力を運ぶ線に沿った電圧または電流の変化を検出する。また、ベース照明制御モジュール８１２は、プロセッサ８５０に通信可能に結合されたコントローラ８４０を含む。また、ベース照明制御モジュール８１２は、ベース照明制御モジュール８１２の状態に関する情報を示すためのＬＥＤインジケータライト８４２および８４１を含む。例えば、一部の実施形態では、ＬＥＤインジケータライト８４１は、中性線が接続されているかどうかを示すことができるが、ＬＥＤインジケータライト８４２は、３方向接続が接続されているかどうかを示すことができる。
【００５３】
本明細書に記載された主題および動作の実施態様は、デジタル電子回路によって、または本明細書に開示された構造およびそれらの構造的均等物を含むコンピュータソフトウェア、ファームウェアもしくはハードウェアを介して、あるいはそれらの１つまたは複数の組合せにおいて実施することができる。本明細書に記載された主題の実施態様は、データ処理装置によって実行するために、またはデータ処理装置の動作を制御するために、コンピュータ記憶媒体上に符号化された１つまたは複数のコンピュータプログラム、すなわちコンピュータプログラム命令の１つまたは複数のモジュールとして実施することができる。
【００５４】
コンピュータ記憶媒体は、コンピュータ可読記憶装置、コンピュータ可読記憶基板、ランダムアクセスメモリアレイまたはシリアルアクセスメモリアレイもしくはデバイス、あるいはそれらの１つまたは複数の組合せとすることができ、あるいはそれらに含めることができる。さらに、コンピュータ記憶媒体は、伝播信号ではないが、コンピュータ記憶媒体は、人工的に生成された伝播信号に符号化されたコンピュータプログラム命令の発信元または宛先となることができる。コンピュータ記憶媒体は、１つまたは複数の別々の物理的構成要素または媒体（例えば、複数のＣＤ、ディスク、または他の記憶装置）とすることも、あるいはそれらに含めることもできる。
【００５５】
本明細書に記載された動作は、１つもしくは複数のコンピュータ可読記憶装置に記憶された、または他の発信元から受け取ったデータに対してデータ処理装置によって実行される動作として実施することができる。
【００５６】
用語「データ処理装置」は、例として、プログラマブルプロセッサ、コンピュータ、システムオンチップ、または前述の複数のもの、あるいは組合せを含む、データを処理するためのあらゆる種類の装置、デバイス、および機械を包含する。装置は、特殊用途ロジック回路、例えば、ＦＰＧＡ（フィールドプログラマブルゲートアレイ）、またはＡＳＩＣ（特定用途向け集積回路）を含むことができる。また、装置は、ハードウェアに加えて、問題になっているコンピュータプログラムのための実行環境を生成するコード、例えば、プロセッサファームウェア、プロトコルスタック、データベース管理システム、オペレーティングシステム、クロスプラットフォームランタイム環境、バーチャルマシン、あるいはそれらの１つまたは複数の組合せを構成するコードを含むことができる。装置および実行環境は、ウェブサービス、分散コンピューティング、およびグリッドコンピューティングインフラストラクチャなどの、様々な異なるコンピューティングモデルインフラストラクチャを実現することができる。
【００５７】
（プログラム、ソフトウェア、ソフトウェアアプリケーション、スクリプト、またはコードとしても知られている）コンピュータプログラムは、コンパイラ型言語もしくはインタープリタ型言語、宣言型言語もしくは手続き型言語を含む任意の形態のプログラミング言語で記述することができ、スタンドアロンプログラムとして、またはモジュール、コンポーネント、サブルーチン、オブジェクトとして、あるいはコンピューティング環境で使用するのに適した他のユニットを含む任意の形態で展開することができる。コンピュータプログラムは、ファイルシステム内のファイルに対応することがあるが、必ずしもそうである必要はない。プログラムは、他のプログラムもしくはデータ（例えば、マークアップ言語文書に記憶された１つまたは複数のスクリプト）を保持するファイルの一部分に、問題になっているプログラム専用の単一のファイルに、あるいは複数の協調ファイル（例えば、１つまたは複数のモジュール、サブプログラム、またはコードの一部分を記憶するファイル）に記憶することができる。コンピュータプログラムは、１つのコンピュータ上で、または１つのサイトに配置されているかもしくは複数のサイトにわたって分散され、通信ネットワークによって相互に接続された複数のコンピュータ上で実行されるように展開され得る。
【００５８】
本明細書に記載されたプロセスおよびロジックフローは、入力データに対して操作し、出力を生成することによって動作を行うために、１つまたは複数のコンピュータプログラムを実行する１つまたは複数のプログラマブルプロセッサによって行うことができる。プロセスおよびロジックフローは、特殊用途ロジック回路、例えば、ＦＰＧＡ（フィールドプログラマブルゲートアレイ）、またはＡＳＩＣ（特定用途向け集積回路）によっても実行することができ、装置も、そのような回路として実施することができる。
【００５９】
コンピュータプログラムの実行に適したプロセッサは、例として、汎用および特殊用途の両方のマイクロプロセッサ、ならびに任意の種類のデジタルコンピュータの任意の１つまたは複数のプロセッサを含む。一般に、プロセッサは、読み取り専用メモリもしくはランダムアクセスメモリまたはその両方から命令およびデータを受け取る。コンピュータの必須要素は、命令に従って動作を実行するためのプロセッサ、ならびに命令およびデータを記憶するための１つまたは複数の記憶装置である。一般に、コンピュータは、データを記憶するための１つまたは複数の大容量記憶装置、例えば、磁気ディスク、光磁気ディスク、もしくは光ディスクからデータを受け取り、またはそれらにデータを転送し、あるいはその両方を行うように、それらの記憶装置を含み、あるいはそれらの記憶装置に動作可能に結合されている。しかしながら、コンピュータは、そのような装置を必要としない。さらに、コンピュータは、別の装置、例えば、ほんの数例を挙げると、携帯電話、携帯情報端末（ＰＤＡ）、携帯オーディオもしくはビデオプレーヤ、ゲーム機、全地球測位システム（ＧＰＳ）受信器、携帯記憶装置（例えば、ユニバーサルシリアルバス（ＵＳＢ）フラッシュドライブ）に埋め込むことができる。コンピュータプログラム命令およびデータを記憶するのに適した装置は、例として、半導体メモリ装置、例えば、ＥＰＲＯＭ、ＥＥＰＲＯＭおよびフラッシュメモリ装置、磁気ディスク、例えば、内蔵ハードディスクもしくはリムーバブルディスク、光磁気ディスク、ならびにＣＤ−ＲＯＭおよびＤＶＤ−ＲＯＭディスクを含む、あらゆる形態の不揮発性メモリ、媒体、および記憶装置を含む。プロセッサおよびメモリは、特殊用途ロジック回路によって補完されるか、またはそのような回路に組み込まれてもよい。
【００６０】
ユーザとの対話を提供するために、本明細書に記載された主題の実施態様は、ユーザに情報を表示するための表示装置、例えば、ＣＲＴ（陰極線管）もしくはＬＣＤ（液晶ディスプレイ）モニタ、ならびにユーザがコンピュータに入力を提供することができるキーボードおよびポインティングデバイス、例えば、マウスもしくはトラックボールを有するコンピュータ上で実施することができる。他の種類の装置を使用して、ユーザとの対話を同様に提供することができ、例えば、ユーザに提供されるフィードバックは、任意の形態の感覚的フィードバック、例えば、視覚フィードバック、聴覚フィードバック、触覚フィードバックとすることができ、ユーザからの入力は、音響、音声、または触覚入力を含む任意の形態で受け取ることができる。加えて、コンピュータは、ユーザによって使用される装置に文書を送受信ことによって、例えば、ウェブブラウザから受信した要求に応答して、ウェブページをユーザのユーザ装置上のウェブブラウザに送信することによって、ユーザと対話することができる。
【００６１】
本明細書に記載された主題の実施態様は、例えば、データサーバのようなバックエンドコンポーネントを含むか、またはミドルウェアコンポーネント、例えば、アプリケーションサーバを含むか、またはユーザが本明細書に記載された主題の実施態様と対話することができるフロントエンドコンポーネント、例えば、グラフィカルディスプレイもしくはウェブブラウザを有するユーザコンピュータを含むコンピューティングシステム、あるいは１つまたは複数のそのようなバックエンド、ミドルウェア、またはフロントエンドコンポーネントの任意の組合せにおいて実施することができる。システムの構成要素は、任意の形態のまたは媒体のデジタルデータ通信、例えば、通信ネットワークによって相互に接続することができる。通信ネットワークの例には、ローカルエリアネットワーク（「ＬＡＮ」）、および広域ネットワーク（「ＷＡＮ」）、インターネットワーク（例えば、インターネット）、ならびにピアツーピアネットワーク（例えば、アドホックピアツーピアネットワーク）が含まれる。
【００６２】
コンピューティングシステムは、ユーザおよびサーバを含むことができる。ユーザおよびサーバは、一般に、互いに離れており、通常、通信ネットワークを介して対話する。ユーザとサーバとの関係は、それぞれのコンピュータ上で実行される、互いにユーザとサーバとの関係を有するコンピュータプログラムによって生じる。一部の実施態様では、サーバは、（例えば、ユーザ装置と対話するユーザにデータを表示し、ユーザからユーザ入力を受信するために）データ（例えば、ＨＴＭＬページ）をユーザ装置に送信する。ユーザ装置において生成されたデータ（例えば、ユーザとの対話の結果）は、サーバにおいてユーザ装置から受信することができる。
【００６３】
本明細書は、多くの特定の実施態様の詳細を含むが、これらは、いかなる発明の範囲に対しても、または特許請求することができるものに対しても限定としてではなく、特定の発明の特定の実施態様に特有の特徴の説明として解釈されるべきである。本明細書において別々の実施態様の文脈で記載されているある特定の特徴は、単一の実施態様において組み合わせて実施することもできる。逆に、単一の実施態様の文脈で記載されている様々な特徴は、複数の実施態様において別々に、または任意の適切なサブ組合せにおいて実施することもできる。さらに、特徴は、ある特定の組合せにおいて作用するものとして上述され、最初にそのように特許請求されることがあるが、特許請求される組合せからの１つまたは複数の特徴は、場合によってはその組合せから削除されてもよく、特許請求される組合せは、サブ組合せまたはサブ組合せの変形形態を対象としてもよい。
【００６４】
本開示の目的のために、用語「結合される」とは、２つの部材を互いに直接または間接的に接続することを意味する。そのような接続は、本質的に静止していても、または移動可能であってもよい。そのような接続は、２つの部材が、または２つの部材と任意の追加の中間部材とが単一の単体構造体として互いに一体的に形成されることによって、あるいは２つの部材が、または２つの部材と任意の追加の中間部材とが互いに取り付けられることによって達成することができる。そのような接続は、本質的に永久的であってもよく、または本質的に取外し可能であってもよい。
【００６５】
様々な要素の配向は、他の例示的な実施態様によって異なることがあり、そのような変形形態は、本開示によって包含されることが意図されていることに留意されたい。開示された実施態様の特徴は、他の開示された実施態様に組み込むことができることが認識される。
【００６６】
様々な本発明の実施態様が本明細書に記載され、例示されたが、当業者は、機能を実行するためのおよび／または結果を得るための様々な他の手段および／または構造、ならびに／あるいは本明細書に記載された利点の１つまたは複数を容易に想起するであろう。そして、そのような変形形態および／または修正形態のそれぞれは、本明細書に記載された本発明の実施態様の範囲内であるとみなされる。より一般に、当業者は、本明細書に記載されたパラメータ、寸法、材料、および構成がすべて例示的であることが意味されており、実際のパラメータ、寸法、材料、および／または構成は、本発明の教示が使用される特定の用途に依存することを容易に認識されるであろう。当業者は、本明細書に記載された特定の本発明の実施態様に対する多くの均等物を認識し、または型通りの実験作業のみを使用して確認することができるであろう。したがって、前述の実施態様は、単なる例として提示されており、添付の特許請求の範囲およびその均等物の範囲内で、本発明の実施態様は、具体的に記載および特許請求されるようなものとは異なるやり方で実施されることがあることを理解されたい。本開示の発明の実施態様は、本明細書に記載された個々の特徴、システム、物品、材料、キット、および／または方法のそれぞれを対象とする。加えて、２つ以上のそのような特徴、システム、物品、材料、キット、および／または方法のいかなる組合せも、そのような特徴、システム、物品、材料、キット、および／または方法が互いに矛盾していない場合は、本開示の発明の範囲内に含まれる。
【００６７】
また、本明細書に記載された技術は、方法として具現化されてもよく、そのうちの少なくとも１つの例が提供されている。本方法の一部として実行される行為は、任意の適切なやり方で順序付けられてもよい。したがって、例示されたものとは異なる順番で行為が実行される実施態様が構築されてもよく、これら実施態様は、たとえ例示的な実施態様において連続する行為として示されているとしても、一部の行為を同時に実行することを含むことができる。
【００６８】
特許請求の範囲は、その趣旨が述べられていない限り、記載された順番または要素に限定されるとして読まれるべきではない。添付の特許請求の範囲の精神および範囲から逸脱せずに、形態および詳細における様々な変更が当業者によって行われてもよいことを理解されたい。以下の特許請求の範囲およびその均等物の精神および範囲内に入るすべての実施態様が特許請求される。
【符号の説明】
【００６９】
１００  照明制御装置
１０２  スイッチモジュール
１０３  ユーザ
１０４  触覚ディスプレイ
１０６  照明スイッチアクチュエータ
１０８  スイッチ板カバー
１１０  スイッチモジュール開口部
１１２  ベースモジュール
１１４  多ピンソケット
１１６  接続タブ
１１８  締め具開孔
１２０  スイッチコントローラ
１２２  外側作動面
１２４  容量性タッチ層
１２５  発光ダイオードパネル
１２６  光ファイバー
１２７  センサ
１２８  スイッチピン
１３０  プロセッサ
１３１  凹部
１３３  ハウジングカバー
１３５  ハウジングベース
１３６  ラッチ
１３７  トーションばね
１３８  二次プリント回路板
１４０  ベースモジュールプロセッサ
１４１  回路板
１４２  取り付けシャーシ
１５０  一次プリント回路板基板
２００  壁
２０２  照明制御装置
２０３  照明制御装置
２０４  補助スイッチ
２０８  補助スイッチ
３００  照明制御装置
３０４  触覚ディスプレイ
３０５  電源ライトインジケータ
３０６  照明スイッチアクチュエータ
３０８  スイッチ板
３０９  主光源
３１０  主光源
３１６  ランプ
３２２  外側作動面
３５１  全照明設定アイコン
３５２  ディナーアイコン
５００  制御システム
７０２  スイッチコントローラ
７１２  ベースモジュール
７１４  ベース電気コネクタ
７１６  窪み部
７３１  スイッチ電気コネクタ
７３６  タブ
７５１  機械式ロック
８００  照明制御システム
８０２  スイッチ制御モジュール
８１２  照明制御モジュール
８１３  ＴＲＩＡＣ調光器
８１４  電力アイソレータおよびＡＣ／ＤＣコンバータ
８１６  電圧および電流センサ
８１８  変圧器
８２２  負荷端子
８２４  照明器具
８２６  ライン端子
８２８  中性端子
８３０  接地端子
８４０  マイクロコントローラ
８４１  ＬＥＤインジケータライト
８４２  ＬＥＤインジケータライト
８５０  プロセッサ
８５２  グラフィカルユーザインターフェースモジュール
８５３  電力モジュール
【図１Ａ】
2019526885.tif 000003
【図１Ｂ】
2019526885.tif 000004
【図２Ａ】
2019526885.tif 000005
【図２Ｂ】
2019526885.tif 000006
【図２Ｃ】
2019526885.tif 000007
【図３Ａ】
2019526885.tif 000008
【図３Ｂ】
2019526885.tif 000009
【図３Ｃ】
2019526885.tif 000010
【図３Ｄ】
2019526885.tif 000011
【図３Ｅ】
2019526885.tif 000012
【図３Ｆ】
2019526885.tif 000013
【図４】
2019526885.tif 000014
【図５】
2019526885.tif 000015
【図６】
2019526885.tif 000016
【図７】
2019526885.tif 000017
【図８】
2019526885.tif 000018
【国際調査報告】
2019526885.tif 000019